(57)【要約】  展示物又は表示物と鑑賞者の間にあたかも何もなかったかの如く視認でき、しかも展示物や表示物を保護できる展示物又は表示物用カバー部材を提供する。  展示物又は表示物用カバー部材３は、透明基材３１ａと、透明基材の少なくとも片面に形成された反射防止膜３１ｂとを備える。展示物又は表示物用カバー部材３の視感反射率は、０．５％以下である。
2013132963.tif 000002
【特許請求の範囲】
【請求項１】
透明基材と、該透明基材の少なくとも片面に形成された反射防止膜とを備え、視感反射率が０．５％以下であることを特徴とする展示物又は表示物用カバー部材。
【請求項２】
紫外光の透過率が３０％以下であることを特徴とする請求項１に記載の展示物又は表示物用カバー部材。
【請求項３】
前記反射防止膜の紫外光の透過率が３０％以下であることを特徴とする請求項２に記載の展示物又は表示物用カバー部材。
【請求項４】
前記反射防止膜は、低屈折率層と高屈折率層を交互に積層した膜であり、最外層がＡｌ２Ｏ３を含有したＳｉＯ２膜からなることを特徴とする請求項１〜３のいずれか一項に記載の展示物又は表示物用カバー部材。
【請求項５】
ＳｉＯ２膜におけるＡｌ２Ｏ３の含有量が、１〜２０質量％の範囲内であることを特徴とする請求項４に記載の展示物又は表示物用カバー部材。
【請求項６】
基台と、該基台の上に載置された展示物を収納し保護するように固定されたカバー部材からなり、該カバー部材が、請求項１〜５のいずれか一項に記載のカバー部材からなることを特徴とする展示ケース。
【請求項７】
カバー部材が曲面を有することを特徴とする請求項６に記載の展示ケース。
【請求項８】
枠材と、収納する展示物と接触しないように枠材に固定されたカバー部材からなり、該カバー部材が、請求項１〜５のいずれか一項に記載のカバー部材からなることを特徴とする額縁。
【請求項９】
表示物とカバー部材とを収納する収納体を有し、該カバー部材が、請求項１〜５のいずれか一項に記載のカバー部材からなることを特徴とする表示デバイス。
【請求項１０】
前記表示物と前記カバー部材とが、樹脂フィルムを介して接着固定されてなることを特徴とする請求項９に記載の表示デバイス。
【請求項１１】
前記表示物が前記表示デバイスの一領域に設けられており、
前記カバー部材が前記表示物を覆うように、前記表示デバイスの一部の領域に設けられていることを特徴とする請求項９または１０に記載の表示デバイス。
【請求項１２】
側壁の少なくとも一部の上に、請求項１〜５のいずれか一項に記載のカバー部材が設けられたことを特徴とする水槽。
【請求項１３】
前記カバー部材が着脱可能に設けられていることを特徴とする請求項１２に記載の水槽。
【発明の詳細な説明】
【技術分野】
【０００１】
本発明は、展示物又は表示物用カバー部材及びそれを用いた展示ケース、額縁、表示デバイスに関する。
【背景技術】
【０００２】
特定の分野に対して価値のある事物、学術資料、美術品等の展示物を美術館、博物館等で展示する場合、展示物が汚れたり、劣化したり、あるいは故意又は事故により外的な力が加わり、傷ついたり、破損するといった虞れがある。
【先行技術文献】
【特許文献】
【０００３】
【特許文献１】特開平９−００００４３号公報
【発明の概要】
【発明が解決しようとする課題】
【０００４】
これらを防止するため、展示物を透明のカバー部材で保護することがあるが、カバー部材を構成するガラスや樹脂の表面で写り込みがあり、展示物が視認しにくくなるという問題がある。【０００５】
また、スマートフォン、モバイルパソコン、携帯ゲーム機等のモバイル機器においては、表示物が透明のガラス板等で保護されているが、太陽光や蛍光灯等の写り込みにより、液晶等の表示物による画像が見にくくなることがあった。【０００６】
本発明は、特定の分野に対して価値のある事物、学術資料、美術品等の展示物、スマートフォン、モバイルパソコン、携帯ゲーム機等のモバイル機器、カーナビゲーション、据え置き型ゲーム機等の表示物を保護しながら、展示物又は表示物と鑑賞者の間にあたかも何も存在しないかの如く視認できる展示物又は表示物用カバー部材、及びそれを用いた展示ケース、額縁、表示デバイスを提供することを主な目的とする。
【課題を解決するための手段】
【０００７】
本発明の展示物又は表示物用カバー部材は、透明基材と、該透明基材の少なくとも片面に形成された反射防止膜とを備え、視感反射率が０．５％以下であることを特徴とする。【０００８】
本発明の展示物又は表示物用カバー部材の紫外光の透過率が３０％以下であることが好ましい。【０００９】
反射防止膜の紫外光の透過率が３０％以下であることが好ましい。
反射防止膜は、低屈折率層と高屈折率層を交互に積層した膜であることが好ましい。この場合、最外層は、ＳｉＯ２膜からなることが好ましい。さらに、ＳｉＯ２膜は、化学的耐久性向上のためにＡｌ２Ｏ３を含むことが好ましい。ＳｉＯ２膜におけるＡｌ２Ｏ３の含有量は、１〜２０質量％の範囲内であることが好ましい。Ａｌ２Ｏ３の含有量が少ないと化学的耐久性向上の効果が十分得られにくく、また、Ａｌ２Ｏ３の含有量が多いと膜の屈折率が上昇して反射防止効果を損ないやすい。【００１０】
また本発明の展示ケースは、基台と、該基台の上に載置された展示物を収納し保護するように固定されたカバー部材からなり、該カバー部材が、透明基材と、該透明基材の少なくとも片面に形成された反射防止膜とを備え、視感反射率が０．５％以下であるカバー部材からなることを特徴とする。【００１１】
また本発明の展示ケースでは、カバー部材が曲面を有していてもよい。【００１２】
また本発明の額縁は、枠材と、収納する展示物と接触しないように枠材に固定されたカバー部材からなり、該カバー部材が、透明基材と、該透明基材の少なくとも片面に形成された反射防止膜とを備え、視感反射率が０．５％以下であるカバー部材からなることを特徴とする。【００１３】
また本発明の表示デバイスは、表示物とカバー部材とを収納する収納体を有し、該カバー部材が、透明基材と、該透明基材の少なくとも片面に形成された反射防止膜とを備え、視感反射率が０．５％以下であるカバー部材からなることを特徴とする。【００１４】
また本発明の表示デバイスは、表示物とカバー部材とが、樹脂フィルムを介して接着固定されてなるものであってもよい。【００１５】
また本発明の表示デバイスにおいて、表示物が表示デバイスの一領域に設けられており、カバー部材が表示物を覆うように、表示デバイスの一部の領域に設けられていてもよい。【００１６】
本発明に係る水槽は、側壁の少なくとも一部の上に、請求項１に記載のカバー部材が設けられたことを特徴とする。カバー部材が着脱可能に設けられていてもよい。
【発明の効果】
【００１７】
本発明によれば、展示物又は表示物と鑑賞者の間にあたかも何も存在しないかの如く視認でき、しかも展示物や表示物を保護できるカバー部材を提供することができる。
【図面の簡単な説明】
【００１８】
【図１】図１（ａ）は、第１の実施形態に係るカバー部材を用いた展示ケースの斜視図、（ｂ）は、カバー部材の一部断面図である。
【図２】図２（ａ）は、第２の実施形態に係るカバー部材を用いた展示ケースの縦方向断面図、（ｂ）は、平面図である。
【図３】図３は、第３の実施形態に係るカバー部材を用いた絵画用額縁の縦方向断面図である。
【図４】図４（ａ）は、第４の実施形態に係るカバー部材を用いた表示デバイスの縦方向断面図、（ｂ）は、カバー部材の一部断面図である。
【図５】図５は、第５の実施形態に係る表示デバイスの模式的平面図である。
【図６】図６は、図５の線ＶＩ−ＶＩにおける模式的断面図である。
【図７】図７は、第６の実施形態に係る水槽の模式的正面図である。
【図８】図８は、図７の線ＶＩＩＩ−ＶＩＩＩにおける模式的断面図である。
【図９】図９は、第７の実施形態における実施例１のカバー部材を塩水煮沸試験した試験前及び試験後の反射率を示す図である。
【図１０】図１０は、第７の実施形態における実施例２のカバー部材を塩水煮沸試験した試験前及び試験後の反射率を示す図である。
【発明を実施するための形態】
【００１９】
以下、本発明を実施した好ましい形態の一例について説明する。但し、下記の実施形態は、単なる例示である。本発明は、下記の実施形態に何ら限定されない。
【００２０】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２１】
本実施形態に係る展示物又は表示物用カバー部材は、展示物や表示物を汚染、劣化、破損等から保護できる透明基材を備えている。
【００２２】
透明基材は、可視光線の透過率が高いガラス、樹脂等から構成される。耐候性、耐光性、反射防止膜との密着性、ガスバリア性等の観点からガラスであることが好ましい。ガラス材質としては、ソーダ石灰系ガラス、硼珪酸塩系ガラス、アルミノケイ酸塩系ガラス、無アルカリガラス、風冷強化ガラス、イオン強化ガラス、低膨張結晶化ガラス等が利用可能である。透明基材の形状としては、板状体、箱体、曲板体、円筒体等が利用可能である。
【００２３】
透明基材は、厚みが大きくなるほど、強度が向上するが、透明基材をガラスから作成する場合、厚みが大きくなると、重量が大きくなりやすいため、軽量化を図る上では、できるだけ薄くすることが望ましい。特に透明基材（ガラス板）の厚みが１０μｍ〜０．３ｍｍであると、可撓性を有し、曲面を形成することが可能であるとともに、端面からの入射光及び端面での反射光を低減できるため好ましい。透明基材の好ましい厚みは、２０μｍ〜０．２ｍｍ、さらには５０μｍ〜０．１ｍｍである。またガラスが板状の場合、その強度を補う目的で、ガラス板の表面に透明樹脂板を貼り合わせることも可能である。さらにガラス板の表面粗さが、Ｒａで５０ｎｍ以下であると、光の散乱を抑制できるため好ましい。
【００２４】
透明基材を構成するガラス板の成形方法としては、周知のオーバーフローダウンドロー法、スロットダウンドロー法、フロート法、ロール成形法等が利用可能であるが、特に、オーバーフローダウンドロー法は、反りが少なく、平滑で（表面粗さが小さい）、厚みが小さいガラス板を得るのに適している。
【００２５】
反射防止膜は、透明基材の少なくとも片面に形成され、この反射防止膜の作用により、カバー部材の視感反射率は０．５％以下となる。そのため、このカバー部材で展示物や表示物を保護しても、展示物や表示物と鑑賞者の間にあたかも何も存在しないかの如く視認できる。
【００２６】
反射防止膜を透明基材の片面に形成する場合、展示物や表示物と反対側の面（鑑賞者側の面）に反射防止膜を形成すると、透明基材による反射の影響が小さく、所望の視感反射率が得やすいため好ましい。反射防止膜を透明基材の両面に形成すると、視感透過率をより低減しやすい。ただし、その場合、展示物や表示物側の面にも、反射防止膜が存在することになる。展示物や表示物が、反射防止膜と密着（接触）した状態にあると、損傷したり、汚染する虞れがあるため、両者の間に一定の間隔を設けることが好ましい。
【００２７】
液晶等の表示物用のカバー部材において、表示物とカバー部材を樹脂フィルム等で接着固定した場合には、反射防止膜は、透明基材の展示物や表示物と反対側の面（鑑賞者側の面）に形成するだけで良いが、表示物とカバー部材を接着せずに間隔をおく場合には、反射防止膜は、透明基材の両面に形成する方が良い。また、この場合には、表示物の鑑賞者側の面にも反射防止膜を形成することが好ましい。
【００２８】
なお、視感反射率は、ＪＩＳ  Ｚ  ８７０１（１９９９年）に規定する三刺激値の色度Ｙであり、色度Ｙは、Ｕ−４１００  日立製  分光光度計を用いて鑑賞者側面からの反射率を測定し、前記ＪＩＳに従って、計算により求めることができる。このとき、視野角は１０°とした。
【００２９】
反射防止膜は、無機材料から構成されていることが好ましく、例えば、低屈折率層と高屈折率層の交互膜からなることがより好ましい。低屈折率層と高屈折率層の交互膜としては、両面合わせての層数が８〜４０層であることが好ましい。層数が８層よりも少ないと、所望の視感反射率が得られず、４０層よりも多いと、剥離しやすく、且つ経済的ではない。特に低屈折率層と高屈折率層の交互膜が、両面合わせての層数が１０層以上になると、視感反射率が０．２％以下のカバー部材が得られやすくなり、また１４層以上になると、視感反射率が０．１６％以下のカバー部材が得られやすくなるため好ましい。透明基材の反り抑制の観点からは、それぞれの面の層数は同一であることが好ましく、材質や各層の膜厚も全く同一であることがより好ましい。
【００３０】
上記交互膜を片面に形成する場合、層数は、４〜２０層であることが好ましい。
【００３１】
低屈折率層としては、酸化ケイ素、酸化アルミニウム及びフッ化マグネシウムからなる群から選ばれた一種であることが好ましく、片面における低屈折膜の総物理膜厚は１００ｎｍ〜７００ｎｍであることが好ましい。また、高屈折率膜としては、窒化ケイ素、窒化アルミニウム、酸化ジルコニウム、酸化ニオブ、酸化タンタル、酸化ハフニウム、酸化チタン、酸化スズ及び酸化亜鉛からなる群から選ばれた一種であることが好ましく、片面における高屈折率膜の総物理膜厚は、５０ｎｍ〜２５０ｎｍであることが好ましい。
【００３２】
透明基材に反射防止膜を形成する方法としては、スパッタ法、真空蒸着法、ディッピング法、スピンコート法、イオンプレーティング法、ＣＶＤ法等の方法が利用可能であるが、特にスパッタ法を採用すると、膜厚が均一で、透明基材との接着が強固で、しかも膜硬度が高くなるため好ましい。
【００３３】
また本発明のカバー部材は、展示ケース、額縁、表示デバイスのカバー部材として好適である。展示ケースとして使用する場合は、複数枚のカバー部材を使用したり、曲面状のカバー部材と平面状のカバー部材を組み合わせて使用することができる。複数枚のカバー部材を使用する場合、接着材で接着固定しても良いし、フレームで接合させても良い。
【００３４】
また本発明のカバー部材には、表裏面等を識別するためのマーキングを施しても良い。また、鑑賞者が気付かずにカバー部材にぶつかることが無いよう安全性を確保するため、一部反射防止膜が形成されていない領域を形成したり、マーキング（目印）を施してもよい。
【００３５】
本発明のカバー部材は、紫外光の透過率が３０％以下であるものであることが好ましく、紫外光の透過率が２０％以下であるものであることがより好ましい。この場合、カバー部材により展示物等に紫外線が到達することが抑制されるため、展示物等の紫外線による劣化を抑制することができる。なお、「紫外光」とは、２８０ｎｍ〜３８０ｎｍの波長域の光をいう。
【００３６】
カバー部材の紫外光の透過率を低くするために、透明基材及び反射防止膜の少なくとも一方が、紫外光を遮蔽するものであることが好ましく、透明基材及び反射防止膜の両方が紫外光を遮蔽するものであることがより好ましい。透明基材の紫外光の透過率が３０％以下であることが好ましく、２０％以下であることがより好ましい。反射防止膜の紫外光の透過率が３０％以下であることが好ましく、２０％以下であることがより好ましい。
【００３７】
（第１の実施形態）
図１（ａ）に、美術品等の展示物１を収納・展示するための展示ケース１０を示している。展示ケース１０は、載置面を有する基台２と、基台２の上に載置された展示物１を収納し保護するカバー部材３とを備えている。カバー部材３は、４枚の側板３１と、１枚の天板３２が接着固定された箱形状を有している。４枚の側板３１は、図１（ｂ）に示すように、厚みが５ｍｍのソーダ石灰ガラスからなるガラス板３１ａと、ガラス板３１ａの両面に形成された反射防止膜３１ｂからなる。なお、天板３２は、側板３１と同一のガラス板からなり、反射防止膜は形成されていない。
【００３８】
【表１】
2013132963.tif 000003
【００３９】
反射防止膜３１ｂは、表１に示すように、ＳｉＯ２からなる低屈折率膜と、Ｎｂ２Ｏ５からなる高屈折率膜との１６層の交互膜（両面３２層）であり、ガラス板３１ａには、Ｎｂ２Ｏ５からなる高屈折率膜が、最外層にはＳｉＯ２からなる低屈折率膜が形成されている。側板３１の視感反射率は、０．１２％であった。そのため、カバー部材３の側板３１の表面での写り込みがなく、展示物１と鑑賞者の間にあたかも何も存在しないかの如く視認できた。尚、上記低屈折率膜及び高屈折率膜は、いずれも反応性スパッタ法により成膜されている。
【００４０】
（第２の実施形態）
図２に、絵画等の展示物１１を収納・展示するための展示ケース２０を示している。展示ケース２０は、壁１２に固定された展示物１１を収納し保護するカバー部材１３からなる。カバー部材１３は、１枚の曲面状の側板１３１と、１枚の天板１３２と、１枚の底板１３３が接着固定されたかまぼこ状を有している。側板１３１は、第１の実施形態と同様に、ガラス板３１ａと、ガラス板３１ａの両面に形成された反射防止膜３１ｂからなる。尚、側面１３１の曲率半径Ｒが小さくなりすぎると、反射が大きくなりやすいため、曲率半径Ｒが４００ｍｍ以上となるように規制することが好ましい。ここで、ガラス板３１ａは、厚みが０．３ｍｍからなる硼珪酸塩系ガラスからなる点が第１の実施形態と異なる。なお、天板１３２及び底板１３３は、側板１３１と同一のガラス板からなり、反射防止膜は形成されていない。反射防止膜は、第１の実施形態と同一の構成である。上記のような構成のため、カバー部材１３の側板１３１の表面での写り込みがなく、展示物１１の正面にいる鑑賞者だけでなく、展示物１１の斜め方向から鑑賞する鑑賞者も、展示物と鑑賞者の間にあたかも何も存在しないかの如く視認できた。
【００４１】
（第３の実施形態）
図３に、絵画等の展示物２１を収納・展示するための額縁３０を示している。額縁３０は、枠材２４と、収納する展示物２１と接触しないように展示物２１と間隔をあけて、枠材２４に嵌め込んだカバー部材２３とからなる。カバー部材２３は、第１の実施形態と同様に、ガラス板３１ａと、ガラス板３１ａの両面に形成された反射防止膜３１ｂからなる。ここで、ガラス板３１ａは、厚みが０．５ｍｍからなる無アルカリ硼珪酸塩系ガラス（日本電気硝子社製ＯＡ−１０Ｇ）からなる点が第１の実施形態と異なる。反射防止膜は、第１の実施形態と同一の構成である。上記のような構成のため、カバー部材１３の表面での写り込みがなく、展示物２１と鑑賞者の間にあたかも何も存在しないかの如く視認できた。また、展示物２１とカバー部材２３が接触することがないため、展示物２１を損傷や汚染から保護できる。
【００４２】
（第４の実施形態）
図４（ａ）に、液晶等の表示物４１を組み込んだ表示デバイス５０を示している。表示デバイス５０は、表示物４１と、樹脂フィルム４４を介して表示物４１と接着固定されたカバー部材４３と、表示物４１とカバー部材４３を収納する収納体４２とからなる。カバー部材４３は、図４（ｂ）に示すように、１枚のガラス板４３ａと、ガラス板４３ａの樹脂フィルム４４の非接触面に形成された反射防止膜４３ｂからなる。ここで、ガラス板３１ａは、厚みが７０μｍからなる無アルカリ硼珪酸塩系ガラス（日本電気硝子社製ＯＡ−１０Ｇ）からなる。
【００４３】
【表２】
2013132963.tif 000004
【００４４】
表２に示すように、反射防止膜は、ＳｉＯ２からなる低屈折率膜と、Ｎｂ２Ｏ５からなる高屈折率膜との合計６層の交互膜であり、ガラス板３１ａには、Ｎｂ２Ｏ５からなる高屈折率膜が、最外層にはＳｉＯ２からなる低屈折率膜が形成されている。カバー部材４３の視感反射率は０．１６％であった。表示デバイス５０は、上記のような構成のため、カバー部材４３の表面での写り込みがなく、表示物４１と鑑賞者の間にあたかも何も存在しないかの如く視認できた。また、太陽光等の写り込みがないため、屋外でも表示物による画像を鮮明に見ることができた。
尚、視感反射率を算出するに当たり、樹脂フィルム４４を介して表示物４１と接着固定した状態で、カバー部材４３の鑑賞者側から反射率を測定した。また、上記低屈折率膜及び高屈折率膜は、いずれも反応性スパッタ法により成膜されている。
【００４５】
（第５の実施形態）
図５に、第５の実施形態に係る表示デバイスの模式的平面図を示す。図６に、図５の線ＶＩ−ＶＩにおける模式的断面図を示す。
【００４６】
本実施形態の表示デバイス５１は、例えばパチンコ台、スロットマシーン等の遊戯具等を構成している。表示デバイス５１は、デバイス本体５２を備える。デバイス本体５２の一部分に表示物５２ａが設けられている。この表示物５２ａは、液晶パネルや、プラズマディスプレイパネル、エレクトロルミネッセンスパネル等により構成されている。
【００４７】
デバイス本体５２の前方には、ガラス板などにより構成された保護板５３が設けられている。この保護板５３の少なくとも一方の表面の上にカバー部材５４が設けられている。カバー部材５４は、側板３１等と同様に、透明基材と、透明基材の上に設けられた反射防止膜とを有する。反射防止膜は、カバー部材５４の片方の面の上に設けられていてもよいし、両方の面の上に設けられていてもよい。
【００４８】
表示デバイス５１では、カバー部材５４は、表示物５２ａを覆うように、表示デバイス５１の一部の領域に設けられている。このため、背景などの映り込みなどに起因する表示物５２ａに表示される画像の視認性の低下を抑制することができる。特に、表示物５２ａがブラックアウトした際には、透過光の光量が低下し、背景などの映り込みが目立ちやすくなるため、カバー部材５４を設けておくことが効果的である。カバー部材５４を設けておくことにより、遊戯具の遊戯者の集中力が、映り込み等により発散することを抑制できる。
【００４９】
（第６の実施形態）
図７に、第６の実施形態に係る水槽の模式的正面図を示す。図８に、第６の実施形態に係る水槽の側壁の模式的断面図を示す。なお、図８は、図７の線ＶＩＩＩ−ＶＩＩＩにおける模式的断面図である。図７の紙面奥側、図８のｘ１側に水生生物が存在する。図７の紙面手前側、図８のｘ２側に水生生物の観者が位置する。
【００５０】
図８に示されるように、水槽６０は、側壁６１を有する。側壁６１は、平板状であってもよいが、本実施形態では、観者側（ｘ２側）凸状の曲板状に設けられている。側壁６１は、ガラスや樹脂などにより構成されている。
【００５１】
側壁６１の外壁面６１ａの上には、カバー部材６３が設けられている。カバー部材６３は、第１の実施形態の側板３１、第４の実施形態のカバー部材４３等と同様に、透明基材と、透明基材の上に設けられた反射防止膜とを有する。反射防止膜は、カバー部材６３の片方の面の上に設けられていてもよいし、両方の面の上に設けられていてもよい。このような構成を有するカバー部材６３を採用することにより、表面反射を抑制することができ、背景等の映り込みを抑制できる。従って、水槽６０の内部の視認性を向上することができる。
【００５２】
水槽６０の内部の視認性を向上する観点からは、側壁６１の表面の上に反射防止膜を直接設けることも考えられる。しかしながら、水槽６０の側壁６１は、巨大であることもあり、側壁６１の表面の上に反射防止膜を直接設けることは困難である。また、側壁６１には観者が触れる場合もある。よって、観者との接触により反射防止膜が損傷することも考えられる。しかしながら、側壁６１の上に反射防止膜を設けた場合は、設置された側壁６１上の反射防止膜を修復することは困難である。
【００５３】
本実施形態のように、カバー部材６３を外壁面６１ａの一部の上に設けるのであれば、反射防止膜の形成も容易で、また、反射防止膜が損傷した際のメンテナンス性にも優れている。より優れたメンテナンス性を実現する観点からは、カバー部材６３が側壁６１に対して着脱可能に設けられていることが好ましい。具体的には、例えば、カバー部材６３が側壁６１に粘着されていることが好ましい。もっとも、カバー部材６３は、側壁６１に接着されていてもよい。
【００５４】
水槽６０の内部の視認性をより向上する観点からは、カバー部材６３の透明基材は、側壁３１と実質的に同様の屈折率を有することが好ましい。具体的には、透明基材の屈折率と、側壁３１の屈折率との差が０．１以下であることが好ましい。また、カバー部材６３と側壁６１との間に粘接着層を設ける場合は、粘接着層と透明基材との間の屈折率差、粘接着層と側壁６１との間の屈折率差は、それぞれ、０．１以下であることが好ましい。
【００５５】
また、側壁６１の外壁面６１ａが曲面状であるような場合には、透明基材が可撓性を有する樹脂シートや、厚みが３００μｍ以下のガラスシートなどにより構成されていることが好ましい。
【００５６】
（第７の実施形態）
本実施形態では、反射防止膜が、低屈折率層と高屈折率層を交互に積層した膜であり、最外層がＡｌ２Ｏ３を含有したＳｉＯ２膜からなっている。
厚みが５００μｍである無アルカリ硼珪酸塩系ガラス（日本電気硝子社製ＯＡ−１０Ｇ）をガラス板として用い、この上に、以下の表３に示すように、Ａｌ−ＳｉＯ２からなる低屈折率層と、Ｎｂ２Ｏ５からなる高屈折率層とを合計５層交互に積層し、第７の実施形態に従う実施例１のカバー部材を得た。
【００５７】
比較として、以下の表４に示すように、Ｎｏ．５の最外層のＳｉＯ２膜を、Ａｌ２Ｏ３を含有しないＳｉＯ２膜とする以外は、上記実施例１と同様にしてガラス板の上に反射防止膜を形成し、実施例２のカバー部材を得た。
【００５８】
【表３】
2013132963.tif 000005
【００５９】
【表４】
2013132963.tif 000006
【００６０】
表３及び表４において、「Ａｌ−ＳｉＯ２」は、Ａｌ２Ｏ３を含有したＳｉＯ２膜を示している。なお、Ａｌ２Ｏ３の含有量は、５．３質量％であった。
また、実施例１のカバー部材の視感反射率は０．２３％であり、実施例２のカバー部材の視感反射率は０．２９％であった。
【００６１】
得られた実施例１及び実施例２のカバー部材について、以下のようにして塩水煮沸試験を行った。
ＮａＣｌ濃度４．８質量％、温度９０℃の塩水に、上記のカバー部材を３０分間浸漬させた後、引き上げて表面を純水で洗浄し、乾燥した。
【００６２】
塩水煮沸試験前と試験後のカバー部材について、入射角１２°で、波長３８０〜７８０ｎｍの波長域における反射率を測定した。図９は、実施例１のカバー部材の試験前及び試験後の反射率を示しており、図１０は、実施例２のカバー部材の試験前及び試験後の反射率を示している。
【００６３】
図１０に示すように、実施例２のカバー部材では、試験後の反射率が、試験前の反射率に比べ著しく変化している。これに対し、図９に示すように、実施例１のカバー部材では、試験前と試験後の反射率はほぼ同じであり、ほとんど変化していないことがわかる。これは、最外層のＳｉＯ２膜にＡｌ２Ｏ３が含有されているため、ＳｉＯ２膜の化学的耐久性が向上したためであると考えられる。
【００６４】
上記実施例１のカバー部材の反射防止膜においては、最外層以外のＳｉＯ２膜もＡｌ２Ｏ３を含有しているが、最外層以外のＳｉＯ２膜は、必ずしもＡｌ２Ｏ３を含有している必要はない。すなわち、最外層のＳｉＯ２膜がＡｌ２Ｏ３を含有していれば、化学的耐久性を高めることができるという上記の効果を得ることができる。尚、上記「Ａｌ−ＳｉＯ２膜」及びＮｂ２Ｏ５膜は、いずれも反応性スパッタ法により成膜され、「Ａｌ−ＳｉＯ２膜」の成膜にあたっては、金属Ａｌを６．０質量％含有するＳｉターゲットを用いた。
【産業上の利用可能性】
【００６５】
本発明のカバー部材は、特定の分野に対して価値のある事物、学術資料、美術品、水生生物等の展示物、スマートフォン、モバイルパソコン、携帯ゲーム機等のモバイル機器、カーナビゲーション、据え置き型ゲーム機、パチンコ台、スロットマシーン等の表示物を保護するためのカバー部材として使用することができる。
【符号の説明】
【００６６】
１、１１、２１…展示物
２…基台
３、１３、２３、４３、５４、６３…カバー部材
１０、２０…展示ケース
１２…壁
２４…枠材
３０…額縁
３１、１３１…側板
３１ａ…ガラス板
３２ｂ…反射防止膜
３２、１３２…天板
４１、５２ａ…表示物
４２…収納体
４４…樹脂フィルム
５０、５１…表示デバイス
５２…デバイス本体
５３…保護板
６０…水槽
６１…側壁
６１ａ…外壁面
１３３…底板
【図１】
2013132963.tif 000007
【図２】
2013132963.tif 000008
【図３】
2013132963.tif 000009
【図４】
2013132963.tif 000010
【図５】
2013132963.tif 000011
【図６】
2013132963.tif 000012
【図７】
2013132963.tif 000013
【図８】
2013132963.tif 000014
【図９】
2013132963.tif 000015
【図１０】
2013132963.tif 000016
【国際調査報告】
2013132963.tif 000017
2013132963.tif 000018
2013132963.tif 000019
2013132963.tif 000020